(57)【要約】【課題】  遊技中に異物を筐体内に侵入させて不当に遊技メダルを獲得する不正行為を防止するとともに製造工程を簡略化するキャビネットボックスの提供。【解決手段】  金属材料の板金部材で構成されるキャビネットボックス１の前面開口縁部に前面開口外方に突出する突出辺Ａを設け、この突出辺Ａを有するキャビネットボックス１の前面開口を前面扉２によって閉鎖状態とすると、突出辺Ａが前面扉２の内側に収容されるように構成している。また、この突出辺Ａの内側に前面扉２が収容される構成としてもよい。【選択図】図１
2005198949.tif 000002
【特許請求の範囲】
【請求項１】
金属材料の板金部材で形成されて前面開口を有して略矩形箱状に形成されたキャビネットボックスと、前記キャビネットボックスの前記前面開口を覆って取り付けられる前面扉と、前記キャビネットボックス内および前記前面扉に配設される遊技装置とから構成される遊技機において、
前記キャビネットボックスの前記前面開口縁部に前記前面開口の外方に突出する突出辺が設けられており、
前記前面扉を閉鎖状態としたときに、前記突出辺が前記前面扉の内側に収容されるように構成したことを特徴とするキャビネットボックス。
【請求項２】
金属材料の板金部材で形成されて前面開口を有して略矩形箱状に形成されたキャビネットボックスと、前記キャビネットボックスの前記前面開口を覆って取り付けられる前面扉と、前記キャビネットボックス内および前記前面扉に配設される遊技装置とから構成される遊技機において、
前記キャビネットボックスの前記前面開口縁部に前記前面開口の外方に突出する突出辺が設けられており、
前記前面扉を閉鎖状態としたときに、前記突出辺の内側に前記前面扉が収容されるように構成したことを特徴とするキャビネットボックス。
【請求項３】
前記前面扉の裏面外郭縁部に収容溝が設けられており、
前記前面扉を閉鎖状態としたときに、前記突出辺が前記収容溝に収容されることを特徴とする請求項１に記載のキャビネットボックス。
【発明の詳細な説明】
【技術分野】
【０００１】
本発明は、遊技機のキャビネットボックスに関するものであり、さらに詳しくは、金属製キャビネットボックスの前面開口縁部の構成に関するものである。
【背景技術】
【０００２】
キャビネットボックスを有する遊技機として、スロットマシン、ポーカーゲーム等のメダル遊技機がある。例えば、スロットマシンにおいては、前面に開口部を有して略矩形箱状に形成されたキャビネットボックスと、このキャビネットボックスの前面開口を覆って開閉自在に取り付けられた前面扉とからなる筐体内に、電源ボックス、リール装置、制御基板、メダル払出装置等の各遊技装置が配設されて構成される。
【０００３】
上記遊技機は、前面扉が閉鎖状態とされ、前面扉の表側に配設される遊技機操作部を操作することによって遊技に供されるが、不当な手段によって遊技メダルを獲得する不正遊技者が一部に跋扈しており大きな問題となっている。不正遊技者により行われる不正行為として、例えば、閉鎖状態のキャビネットボックスと前面扉との間隙からセルロイド板あるいはピアノ線等の異物を筐体内へ侵入させ、電源ボックスのコネクタに挿し込んでショートさせることにより入賞確率設定を変更したり、入賞に応じた払出メダル枚数を検出するためのセンサを遮断する等によりメダル払出装置を誤作動させる不正行為、遊技中に強力な電磁波を外部から筐体内に向かって発信することにより遊技装置を誤作動させる不正行為等がある。
【０００４】
従来、木材で形成されることが一般的なキャビネットボックスにおいては、キャビネットボックス内側の前面開口縁部に開口部から突出するように金属プレートを取り付けて筐体内に異物を侵入させるのを困難な構成とするとともに、木材が電磁波シールド性に乏しいことからキャビネットボックス内面にシールド塗装を施すことにより、上記例示の不正行為への対策が講じられていた。
【発明の開示】
【発明が解決しようとする課題】
【０００５】
ところで、キャビネットボックスを木材パネルで構成すると、不正遊技行為対策のための塗装が必要であるため製造工程が複雑化すること、金属を含有するシールド塗料を木材に塗装するため廃棄処理上好ましくないといったことから、電磁波シールド性を十分に有した鋼板等の金属材で形成するキャビネットボックスの実用が検討されている。
【０００６】
また、従来の木工キャビネットボックスであると、異物侵入を困難とするためにキャビネットボックス本体に金属プレートを別途取り付ける必要があることから組立工程が複雑化するという問題がある。また、この組立工程も含めて、キャビネットボックスを形成する木材と、組立に用いられる金属製の組立部材とを分離回収することが非常に困難であるといったことから廃棄処理上問題となっていた。
【０００７】
本発明は以上のような問題および課題に鑑み、セルロイド板等の異物を侵入させる不正遊技行為を防止可能な構成であるとともに製造工程を簡略化可能な金属製キャビネットボックスを提供することを目的とする。
【課題を解決するための手段】
【０００８】
上記目的を達成するために本発明に係るキャビネットボックスは、金属材料の板金部材で形成されて前面開口を有して略矩形箱状に形成されたキャビネットボックスと、キャビネットボックスの前面開口を覆って取り付けられる前面扉と、キャビネットボックス内および前面扉に配設される遊技装置とから構成される遊技機において、キャビネットボックスの前面開口縁部に前面開口の外方に突出する突出辺を設け、前面扉を閉鎖状態としたときに突出辺が前面扉の内側に収容されるように構成している。
【０００９】
また、金属材料の板金部材で形成されて前面開口を有して略矩形箱状に形成されたキャビネットボックスと、キャビネットボックスの前面開口を覆って取り付けられる前面扉と、キャビネットボックス内および前面扉に配設される遊技装置とから構成される遊技機において、キャビネットボックスの前面開口縁部に前面開口の外方に突出する突出辺を設け、前面扉を閉鎖状態としたときに突出辺の内側に前面扉が収容されるように構成してもよい。
【００１０】
なお、前面扉の裏面外郭縁部に収容溝を設け、前面扉を閉鎖状態としたときに、突出辺がこの収容溝に収容されるように構成してもよい。
【発明の効果】
【００１１】
キャビネットボックスの前面開口部に突出部を設けるとともに、この突出辺が前面扉の内側に収容され、もしくはこの突出辺の内側に前面扉が収容されるようにして前面扉が閉鎖状態となるように構成している。これにより、キャビネットボックスと前面扉との間隙から異物を侵入させようとしても、異物の侵入経路が折曲されており侵入を困難とすることができる。
また、キャビネットボックスの構成部材と一体形成する構成であり、また、公知の板金加工技術により形成可能であるため、突出部を設けるために別途金属プレート等を取り付けるよりもキャビネットボックスの製造工程を簡略化できるとともに、部材ごとの分離を必要とせず廃棄処理過程を簡略化できる。
【発明を実施するための最良の形態】
【００１２】
以下、図面を参照しながら、本発明に係るキャビネットボックスの実施形態について説明を行う。
【実施例１】
【００１３】
本発明に係るキャビネットボックスを有した遊技機の一例として挙げるスロットマシンの全体的な構成について、図５，図６を参照してまず説明する。このスロットマシンＳＭは、前面が開口した略矩形箱状のキャビネットボックス１と、ヒンジ機構５を介してキャビネットボックス１に開閉自在に取り付けられる前面扉２とから構成されており、スロットマシンＳＭの遊技装置がキャビネットボックス１内および前面扉２に配設されて全体をなす。
【００１４】
略矩形箱状のキャビネットボックス１内に配設される遊技装置としては、外部から電力供給を受けて内部装置に必要な電力を供給する電源ボックス３０、図柄が描かれた３つのリール３１ａ，３１ｂ，３１ｃを回転・停止させるリール装置３１、遊技者の操作に応じたリール装置３１の作動制御やその他スロットマシンＳＭの遊技制御を行うための主制御基板３２、主制御基板３２からの指令に基づいて遊技メダルの払い出しを行うメダル払出装置３３、遊技機の入賞データ等の遊技情報を管理するために遊技施設内に設置されたホールコンピュータ（図示せず）と主制御基板３２との間を接続するインターフェイスとしての外部集中端子基板３４等があり、それぞれ図６に示すように配設される。
【００１５】
なお、メダル払出装置３３はキャビネットボックス１の底面１５上に配設される。配設に際して、メダル払出装置３３の下端部を折曲形成して左右方向に水平突出するフランジ脚部が設けられるとともに、この左右のフランジ脚部を外側からガイドして上面を挟みこむホッパーレール７７，７７が底面１５上に固設される。メダル払出装置３３は、このホッパーレール７７，７７のガイドにより前後方向に出入摺動自在に取り付けられる。
【００１６】
一方前面扉２は、ドアフレーム状に成型されたフロントマスクに、リール外周面に描かれた図柄を所定範囲に限って視認可能に透過表示させる表示窓２１、表示窓２１の下側に左右に並んで配設された複数のスイッチやレバー等からなる操作部４、表示窓２１の上方に配設された表示装置２４、遊技メダルを払い出すメダル払出口２３の下側に位置してメダル払出口２３から排出される遊技メダルを受容し貯留するメダル受皿２２等が取り付けられて構成されている。
【００１７】
操作部４には、遊技メダルを投入するメダル投入口４１、１回の遊技に消費するメダル枚数を決定するベットボタン４２、リールの回転起動操作を行うスタートレバー４３、３つのリール３１ａ，３１ｂ，３１ｃに対応して設けられリールの回転停止をリールごとに操作可能なストップスイッチ４４ａ，４４ｂ，４４ｃ、獲得した遊技メダルの払出操作を行う精算スイッチ４６、メダル投入口４１から投入した遊技メダルを返却させるときに操作するメダル返却スイッチ４５等が設けられている。
【００１８】
また、図６に示すように、前面扉２の裏面には、効果音を発するためのスピーカ３６、メダル投入口４１から投入された遊技メダルを受容する受付状態とメダル払出口２３から返却させる返却状態とに切り替えたり、投入された遊技メダルの真贋を判定して正規メダル以外の遊技メダルを返却させたりする機能を有するメダルセレクタ３７、メダルセレクタ３７からの遊技メダルを貯留または返却させる経路部材等が設けられるとともに、遊技状態を演出する多数のランプやＬＥＤ、これら表示機の作動を制御する中央表示基板３８および上部表示基板３９等が取り付けられている。
【００１９】
以上のように構成されるキャビネットボックス１と前面扉２とは、正面視における互いの左側縁の上下に設けられたヒンジ機構５，５で横開き開閉自在に連結されるとともに、両者１，２に配設された遊技構成装置や基板等がワイヤーハーネス（図示せず）で電気的に接続されて作動可能に構成される。また、ヒンジ機構５，５を介してキャビネットボックス１に連結された前面扉２を開放状態にした際には、キャビネットボックス１全体が撓み変形して前面扉２の反ヒンジ側が垂れ下がる傾向にあるため、前面扉２裏側にガイドローラ６１を設け、キャビネットボックス１内にローラ受け６２を設けて、前面扉２を閉鎖したときにガイドローラ６１をローラ受け６２に支持させて、前面扉２が水平に閉鎖保持されるように構成されている。さらに、前面扉２は、正面視における右側縁に取り付けられた施錠装置６を利用してキャビネットボックス１の前面開口部を覆うように閉鎖施錠され、この閉鎖状態でスロットマシンＳＭが遊技に供される。
【００２０】
以上のように構成されるスロットマシンＳＭにおいて、図４に外観斜視図を示した本実施例のキャビネットボックス１は、板厚0.5〜1.0mm程度（例えば、0.7mm）の冷間圧延鋼板、鍍金鋼板、ステンレス鋼板等を主要構成材料として用い、これを剪断加工、抜き加工、曲げ加工等の公知の加工手段によりパネル部材１０に成型した後、各パネル部材をスポット溶接等の接合手段により接合して組み立てている。例示するキャビネットボックス１では、天板面１１、背面１２、左右側面１３，１４、および下底面１５ａを形成するメインパネル１０ａ、上底面１５ｂを形成する上底面パネル１０ｂ、キャビネットボックス１の前面開口周縁に配設されてキャビネットボックス１全体の撓み変形を防止するための枠杆１０ｃ等の各パネル部材をスポット溶接により接合して構成している。なお、開口部正面視において左側の側面を左側面１３、右側の側面を右側面１４として、これ以降の説明を行う。
【００２１】
キャビネットボックス１の天板面１１、背面１２、左右側面１３，１４、下底面１５ａは、所定形状に形成されたメインパネル１０ａを曲げ加工し、重ね合わせ部を溶接接合することにより前面が開口した略矩形箱の各面が形成される。即ち、本実施例に係るキャビネットボックス１の基本構造はメインパネル１０ａの一枚で形成されており、一面につき一枚のパネルを用いる等、複数枚のパネルで構成するよりも部品点数および組立工数を削減することができる。
【００２２】
天板面１１および背面１２には、キャビネットボックス１内から熱を放熱して主制御基板３２等の誤作動を防ぐための通気孔が予め穿設される。なお、通気孔は、例示する長孔や丸孔の他、所定形状の孔を多数設けてパンチングメタル状ないし格子状に形成してもよい。また、穿設孔の形成による方法のみならず、ルーバ加工やランス加工を施して通気させることも可能である。
【００２３】
天板面１１、背面１２および左右側面１３，１４において、リール装置３１、主制御基板３２等の遊技装置を締結固定するための雌ネジ部材７３が溶接される。雌ネジ部材７３としては、本実施例に適用したように、スタッドナットをキャビネット１内に突出するように溶接してもよいし、溶接六角ナットを各面１１〜１４の所定箇所に溶接し、溶接されたナットの呼び径に合わせた貫通孔を穿設して構成してもよい。また、雌ネジ部材７３としては、後述する中空二重構造の底面１５のような外面に露出しないところにおいてバーリング加工によって雌ネジ部材７３を一体成型する方法や、ブラインドナットをかしめて固定する方法をとってもよい。
【００２４】
左右側面１３，１４には、側面の撓み変形を抑制するために、エンボス加工（例えば、菱形状）が多数施されている。また、左右側面１３，１４の中央部には予め所要形状の貫通孔が穿設されており、鋼板材が絞り加工されてハット状に形成された取っ手部材７１，７１がキャビネットボックス１の内側からこの穿設孔に覆設される。取っ手部材７１，７１は、フランジ部が左右側面１３，１４内側に当接され、絞り部がキャビネットボックス１内に水平に突出するように配設されており、フランジ部と側面内側との当接部においてスポット溶接によりメインパネル１０ａと接合される。
【００２５】
また、キャビネットボックス１内部で水平に突出した取っ手部材７１，７１の絞り部の上には、リール装置３１を載置するための棚板７２が取り付けられる。なお、棚板７２の取り付けは、溶接で棚板７２をキャビネットボックス１に固定する手段のほか、例えば、左右側面１３，１４の所定位置にスタッドナットを溶接しておき、このスタッドを用いて棚板７２を締結する手段や、左右側面１３，１４に予め所定ピッチでネジを設けた補助部材を溶接しておき、この補助部材に棚板７２をネジ締結する手段、左右側面１３，１４の所定位置に係止フックを溶接しておき、この係止フックに棚板７２を係止させる手段など、どの様な手段で取り付けてもよい。但し、溶接以外の手段を用いる場合には、棚板７２がキャビネットボックス１に確実に電気的に接続されるよう取り付ける点に留意し、例えば、棚板７２をユニクロメッキ仕上げにするとともにキャビネットボックス１側のネジ部を無塗装とし、ネジを介して電気的に接続させる手段や、キャビネットボックス１と棚板７２とにそれぞれスタッドナットを溶接しておき、これ等のスタッドナット間をアース線で電気的に接続させる等の手段を採ることが好ましい。
【００２６】
また、天板面１１の左右には、この天板面１１の上下を貫通してスリット状の貫通孔部１１ａ，１１ａが形成されており、左右側面１３，１４において貫通孔部１１ａ，１１ａ直下に図示しないボルトとナットを用いて固定装置７４，７４が取り付けられる。固定装置７４は、内蔵する鋸刃状に形成された鋼板材を貫通孔部１１ａからばねの弾性力を利用することにより出入操作自在に構成されて、突出状態において鋸刃状鋼板材を一般に木製の筐体設置枠（図示せず）に押圧することにより係合固定させる。このような固定方法によって、設置枠上方からキャビネットボックスへの釘打ちという従来の固定手段を用いることが困難な金属製キャビネットにおいても、天板面１１と設置枠との固定が可能となる。
【００２７】
また、左側面１３には、主制御基板３２と中央制御基板３７および上部制御基板３８との間、あるいは主制御基板３２と電源ボックス３０との間等を連結するワイヤーハーネスを係止するためのハーネス係止具７５が取り付けられる。このハーネス係止具７５は、指力により変形可能な金属部材（例えば、SPC 0.8mm）をＣ字状に加工して形成される。また、ハーネス係止具７５の端部は、係止するワイヤーハーネスの損傷を防ぐために、バリ取り処理とともに樹脂部材が被覆され、例えば塩化ビニル材等がディッピング加工により所定厚で被覆される。このようにして形成されるハーネス係止具７５は、左側面１３内側にスポット溶接により接合される。
【００２８】
底面１５は、メインパネル１０ａの曲げ加工により形成される下底面１５ａ上に上底面パネル１０ｂを接合して構成される。上底面パネル１０ｂには、略矩形状に成型された鋼板材の辺がクランク状に折曲されることによりフランジ部が形成されるとともに、中央部に切欠部が設けられる。また、電源ボックス３０およびホッパーレール７７を締結固定するための雌ネジ部材７３としてスタッドナットが上底面パネル１０ｂの裏側に溶接されて、表側からこのスタッドナットの呼び径に合わせて貫通孔が穿設される。なお、上底面パネル１０ｂの曲げ高さはスタッドナットと同長に設定される。このように形成された上底面パネル１０ｂが下底面１５ａのほぼ全体を覆うように配設されて、フランジ部を下底面１５ａとスポット溶接等により接合し、平板状の上底面１５ｂが形成される。同時に上底面パネル１０ｂの裏面に溶接されたスタッドナットの他端部は、ナットと曲げ高さとが同長のため下底面１５ａに当接されて、底面１５は、上底面１５ｂと下底面１５ａとの間にスタッドナットが介設された中空二重構造となる。
【００２９】
さらに、底面１５の中央部においては、中央部を切欠された上底面パネル１０ｂが下方へ凹設され、上底面１５ｂと下底面１５ａとが当接されて両者がスポット溶接により接合されている。また、この凹部には小孔が穿設されており、この孔を介してキャビネットボックス１内から、一般に木製の筐体設置枠（図示せず）に対して釘打ちすることによってキャビネットボックス１を筐体設置枠に固定することが可能となっている。なお、底面１５右側においては、メダル貯留部の貯留許容量を超えた余剰メダルが設置枠台内部に配設されたメダルコンベヤ（図示せず）に回収されるように、余剰メダルを設置枠台内部に通過落下させるための貫通孔が穿設されている。貫通孔は、所定位置において上底面パネル１０ｂおよび下底面１５ａを形成するメインパネル１０ａが穴抜きされた後、上底面１５ｂと下底面１５ａとの間の中空部にメダルが落入しないように、上底面１５ｂを下方に絞り加工するとともに下底面１５ａを上方に絞り加工を行い、両者の絞り部を当接させて設けられる。また、メダルコンベヤが設置されていない遊技施設においては、この貫通孔の上に補助貯留ボックス７６が覆設されて、ボックス内に余剰メダルを回収する。
【００３０】
また、電源ボックス３０、および外部集中端子基板３４の固定は、平板状に形成されて裏側に雌ネジ部材７３としてスタッドナットが溶接されるとともにナットの呼び径に合わせて貫通孔が穿設されたブラケットパネル１０ｄ，１０ｅを介して行われる。図４に示すように、電源ボックス３０を固定するためのブラケットパネル１０ｄは、左側面１３下部を覆うようにして配設されて、３つのフランジ部が背面１２、左側面１３にそれぞれスポット溶接により接合される。外部集中端子基板３４を固定するブラケットパネル（図示せず）は、曲折されたフランジが右側面１４にスポット溶接により接合される。そして、このように配設されるブラケットパネル１０ｄ，１０ｅの内側支持面に、電源ボックス３０および外部集中端子基板３４がそれぞれ当接されて締結固定される。ブラケットを介して固定することにより、板厚が薄くなった金属製キャビネットでも従来の木工キャビネットと同様の固定位置で固定できる。
【００３１】
また、キャビネットボックス１前面の開口縁部において、メインパネル１０ａより板厚の厚い鋼板材（例えば、1.2〜2.3mm）が断面コ字状に形成された枠杆１０ｃが辺縁部を繋ぐように周設されており、メインパネル１０ａとスポット溶接により接合されている。
【００３２】
この枠杆１０ｃ上には、キャビネットボックス１の開口縁部に配設される遊技装置や組立部材を取り付けるための雌ネジ部材７３としてスタッドナットが溶接されている。左側面１３に配設される枠杆１０ｃ上には、ヒンジ機構５，５を締結固定するためのスタッドナットが溶接される。右側面１４に配設される枠杆１０ｃ上には、施錠装置６を締結固定するためのスタッドナットが溶接される。下底面１５ａに配設される枠杆１０ｃには、メダル払出装置３３の出入摺動を平滑にさせるとともにホッパーレール７７を固定するためのブラケット（図示せず）を締結固定するためのスタッドナットが溶接される。なお、天板面１１、右側面１４、下底面１５ａに配設される枠杆１０ｃのコ字状凹部は直線的な平面に形成されているが、左側面１３においては、図４に示すように、ヒンジ機構５，５の締結固定に用いるスタッドナット周辺については、取り付けられるヒンジ機構５，５の奥行き分だけコ字状凹部が背面１２方向に拡幅するように形成されている。
【００３３】
このようにして枠杆１０ｃを設けることにより、前面扉２の開放時に前面扉２から受ける重量負荷を枠杆１０ｃが受け止めてキャビネットボックス１の基本構造を成すメインパネル１０ａの撓み変形を大幅に軽減することができるとともに、前面扉２を水平に閉鎖保持するために配設されるガイドローラ６１およびローラ受け６２を大掛かりなものとする必要がなくなる。
【００３４】
また、図１（ａ）に前面開口近傍の断面図を示すように、枠杆１０ｃの側辺のうち、前面開口側に位置する辺はさらに開口外側に垂直折曲されており、キャビネットボックス１の開口部外方に突出する突出辺Ａを形成している。この突出辺Ａは前面扉２の閉鎖状態において、前面扉２の外周を囲む枠内に収容され、周辺が相互に重なり合うように構成されており、閉鎖整合面（突き合わせ面）の奥部に整合面と直行方向に延びて突出辺Ａが配設される。なお、図中に２点鎖線で示される前面扉２について、突出辺Ａの突端部から紙面正面視下方に延びる線は、天板面１１の断面視における前面扉２、即ち前面扉２の内側を示し、突出辺Ａの基端部から紙面正面視下方に延びる２点鎖線は、外観の前面扉２について示している。
【００３５】
このように構成することによって、前面扉２の閉鎖状態において、キャビネットボックス１と前面扉２との間隙からボックス内部にセルロイド板やピアノ線等の異物を直接侵入させることを困難とし、不正遊技行為を未然に防止することができる。さらに、キャビネットボックス１を構成するパネルの一である枠杆１０ｃを公知の板金加工技術の曲げ加工によって一体形成されるため、別個のパネル部材をねじ締結等により取り付けていた従来のキャビネットボックスと比較して、部品点数および組立工数が削減されて製造工程および廃棄処理過程を簡略化することができる。
【００３６】
なお、この突出辺Ａの形成は、上記実施形態のように枠杆１０ｃの垂直折曲によるもののみに限られず種々の変更が可能である。例えば、図１（ｂ）に示すようにキャビネットボックス１の各面を形成するメインパネル１０ａの端部をクランク状に形成して突出辺Ａを形成し、この突出辺Ａを前面扉の外周を囲む枠内に収容し、周辺が相互に重なり合うように構成してもよい。
【００３７】
さらに、図２に断面図を示すように、前面扉２の裏面外郭辺縁近傍に突出辺Ａを収容するための収容溝Ｂを刻設する構成としてもよい。この突出辺Ａは、図１（ｂ）に例示したものと同様にして、メインパネル１０ａの端部をクランク状に形成して設けられる。また、前面扉２が閉鎖状態となったときに収容溝Ｂと整合する位置に突出辺Ａが設けられ、例えば、図２に例示の突出辺Ａは、メインパネル１０ａのクランク折曲における開口面内側への折曲長さを、図１（ｂ）に例示したものよりも短くして設けられる。図２中に２点鎖線で示される前面扉２について、突出辺Ａの突端部側から紙面正面視下方に延びる線と、突出辺Ａの基端部側から紙面正面視下方に延びる線は、上述の図１で示されるものと同様にして、前面扉２の内側と外側をそれぞれ示している。
【００３８】
このように構成されるキャビネットボックス１の開口部および前面扉２において、前面扉２を閉鎖状態とすると、図２に示すように前面扉２に刻設された収容溝Ｂに突出辺Ａが収容される。これにより、セルロイド板およびピアノ線等の異物の侵入経路を、上述の図１（ａ），図１（ｂ）で例示した閉鎖状態と比較して、さらに屈曲させることが可能で、不正遊技行為の防止効果をより高めることができる。
【実施例２】
【００３９】
次いで、本発明に係るキャビネットボックスのその他の実施形態について、図３を参照して説明する。なお、実施例２において本発明に係るキャビネットボックスを有する遊技機の一例として挙げるスロットマシンＳＭの基本構造は図５，図６に示したように実施例１で説明したものと同様のものであり、同様部分に同一番号を付して重複説明を省略する。
【００４０】
実施例２におけるキャビネットボックス１の前面開口辺縁は、図３（ａ）に示すように、メインパネル１０ａにより形成される天板面１１、左右側面１３，１４、下底面１５ａの各面の端部を折り畳んで押し潰し成型（ヘミング曲げ）することによって突出辺Ａが設けられる。突出辺Ａの上下または左右の対向する内幅寸法は前面扉の外形寸法よりも大きめに形成されており、前面扉２の閉鎖状態において、突出辺Ａの内側に前面扉が収容されて、周辺が相互に重なり合うように構成される。
【００４１】
このように構成することにより、実施例１と同様にして、前面扉２を閉鎖状態とした際に、キャビネットボックス１の外周面から面に沿って突出して形成される突出辺Ａに前面扉２が内包されるため、キャビネットボックス１と前面扉２との間隙からセルロイド板やピアノ線等の異物を直接侵入させることを困難とし、不正遊技行為を未然に防止することができる。また、公知の板金加工技術を用いてキャビネットボックス１の基本構造をなすメインパネル１０ａと一体形成することが可能であることから、製造工程および廃棄処理過程を簡略化することができる。
【００４２】
また、実施例２で示すようなキャビネットボックス１の外周面と同一平面に突出辺を設ける構成は上記実施形態に限られず、前面扉２に切欠部を設けてこの切欠部に突出辺Ａを受容させて前面扉２を突出辺Ａの内側に収容する方法（図３（ｂ）参照）、キャビネットボックス１の各面端部の折り返しを断面略Ｖ状とし、この折曲によって形成される面と枠杆１０ｃを接合させ、Ｖ状突出部を前面扉２に設けた切欠部に受容させて前面扉２を突出辺Ａの内側に収容する方法（図３（ｃ）参照）としてもよい。このような方法により、実施例１，２と同様にして、異物の侵入をさらに困難とするとともに、キャビネットボックス１を構成する部材と一体形成可能であることから、製造工程および廃棄処理過程を簡略化することができる。また、図３（ａ）と比較して、前面扉２が突出辺Ａの内側に収容される際に、突出辺Ａを切欠部で受容して前面扉２の外面と突出辺Ａの外面とが同一面を形成するように構成しているため、意匠上好ましい。
【００４３】
なお、上記実施例１，２において、本発明に係るキャビネットボックスの突出辺Ａはキャビネットボックス１の前面開口の四辺に周設したが、必ずしもこの形態に限るものではなく、１辺乃至３辺に設ける構成としてもよい。
【００４４】
また、本発明に係るキャビネットボックスを有する遊技機としてスロットマシンを例に挙げて説明を行ったが、他のキャビネットボックスを有して構成される遊技機にも同様にして適用可能であり、例えば、ポーカーゲーム、ブラックジャック等のメダル遊技機に適用しても同様の効果を得ることができる。
【図面の簡単な説明】
【００４５】
【図１】第１の本発明に係るキャビネットボックスの天板面の断面図である。
【図２】第１の本発明に係るキャビネットボックスの天板面における変更例の断面図である。
【図３】第２の本発明に係るキャビネットボックスの天板面の断面図である。
【図４】本発明に係るキャビネットボックスの外観斜視図である。
【図５】本発明に係るキャビネットボックスを有して構成される遊技機の一例として示すスロットマシンの外観斜視図である。
【図６】本発明に係るキャビネットボックスを有して構成される遊技機の一例として示すスロットマシンの内部構造を示す正面図である。
【符号の説明】
【００４６】
ＳＭ  スロットマシン
１  キャビネットボックス
２  前面扉
３  遊技装置
４  操作部
１０  パネル部材
１０ａ  メインパネル
１０ｃ  枠杆
１１  天板面
１３  左側面
１４  右側面
１５  底面
３０  電源ボックス
３３  メダル払出装置
Ａ  突出辺（突出部）
Ｂ  収容溝
【図１】
2005198949.tif 000003
【図２】
2005198949.tif 000004
【図３】
2005198949.tif 000005
【図４】
2005198949.tif 000006
【図５】
2005198949.tif 000007
【図６】
2005198949.tif 000008